(57)【要約】      （修正有）【課題】製造コストが低廉で、デザイン的にスリムに見えるドア枠を提供する。【解決手段】表壁４ａと裏壁４ｂとからなる建物の壁の開口部に嵌められるドア枠であって、表壁４ａと裏壁４ｂとの間に嵌められる嵌込み片２２，２３と、ドア枠の本体を構成する本体部とからなり、本体部は、ドア枠の内面となる内面部２６と表壁４ａの端面に当接する表端面部２７および裏壁４ｂの端面に当接する裏端面部２８とからなり、嵌込み片２２，２３と表裏両端面部２７，２８と内面部２６とは１枚物の金属板を曲げた成形体であって、表裏両端面部２７，２８と内面部２６の両端縁部とは、互いに平行に折り曲げられて密着していることを特徴とする。見付面１１は細く、強度も高い。また、部品点数が少なく、溶接も必要がないので、製造コストは低いという利点がある。【選択図】図２
0003144289.tif 000002
【実用新案登録請求の範囲】
【請求項１】
表壁と裏壁とからなる建物の壁の開口部に嵌められるドア枠であって、
前記表壁と前記裏壁との間に嵌められる嵌込み部と、ドア枠の本体を構成する本体部とからなり、
前記本体部は、ドア枠の内面となる内面部と前記表壁の端面に当接する表端面部および前記裏壁の端面に当接する裏端面部とからなり、
前記嵌込み部と前記表裏両端面部と前記内面部とは１枚物の金属板を曲げた成形体であって、
前記表端面部と前記内面部の表側の端縁部、および（または）前記裏端面部と前記内面部の裏側の端縁部とは、互いに平行に折り曲げられて密着している
ことを特徴とするドア枠。
【考案の詳細な説明】
【技術分野】
【０００１】
本考案はドア枠に関する。さらに詳しくは、ドア取付用の金属製建具であるドア枠に関する。
【背景技術】
【０００２】
図６に基づき従来例１のドア枠を説明する。
１は鋼製のドアで、２はヒンジ、３はドア１に内蔵された錠前である。ドア１の左右両横には、壁４が位置しており、この壁４は表壁４ａと裏壁４ｂとを平行に配置して構成されている。そして壁４の開口部の端面にはドア枠100が嵌められている。このドア枠100は薄鋼板を折り曲げて作成した枠体で、本体部101と嵌込み部102とからなる。そして、本体部101と嵌込み部102との間には、壁４の壁面に平行な見付面103、104が表裏両面に形成されている。このドア枠100の表壁４ａと裏壁４ｂ間への取付けは、嵌込み部102の２枚の嵌込み片に固定用アンカー105を固定し、ドア開口部補強金具106に鉄筋107で結合している。このドア枠100は、ドア１のヒンジ２側と錠前３側の両方に設けられる。なお、錠前３側のドア枠100には、錠前の受け金具６が挿入されるようになっている。
【０００３】
上記従来例１は、見付面103，104の幅が太く、約２５ｍｍ程度あるので、ドアのまわりがスマートに見えないという外観デザイン上の難点がある。このような構造は、従来からのドア枠に一般的であり、たとえば、特許文献１の図１に示されるドア枠も見付面103が目立つ構造である。
【０００４】
図７に基づき、従来例２のドア枠を説明する。従来例２のドア枠200は、従来例１のドア枠100から、表側の見付面を目立たなくした構造に相当する。他の構造は基本的に同じであって、たとえば、表壁４ａと裏壁４ｂ間に嵌められる嵌込み部202、ドア開口部補強金具206と鉄筋207も同様である。そして、ドアの裏側に見付面203が残っているが、ドアの表側には、見付面として幅の細いフラットバー208を取付け、表側壁面４ａの端面の始末をすると共に、細いドア枠に見えるようにしている。
【０００５】
ところが、この従来例２では、フラットバー208とドア枠200とを溶接して一体化するので、製作コストが高くなる。また、ドア枠200は、表側壁面4aの内側へ入れたため、錠前受け６も内側へ寄せて取付けなければならず、ドア１の厚さｗ１が厚くなり、このためドア１の重量が重くなって、ひいては製造コストが高くなる。
【０００６】
【特許文献１】特開２００６−６３７１４
【考案の開示】
【考案が解決しようとする課題】
【０００７】
本考案は上記事情に鑑み、製造コストが低廉で、デザイン的にスリムに見えるドア枠を提供することを目的とする。
【課題を解決するための手段】
【０００８】
第１考案のドア枠は、表壁と裏壁とからなる建物の壁の開口部に嵌められるドア枠であって、前記表壁と前記裏壁との間に嵌められる嵌込み部と、ドア枠の本体を構成する本体部とからなり、前記本体部は、ドア枠の内面となる内面部と前記表壁の端面に当接する表端面部および前記裏壁の端面に当接する裏端面部とからなり、前記嵌込み部と前記表裏両端面部と前記内面部とは１枚物の金属板を曲げた成形体であって、前記表端面部と前記内面部の表側の端縁部、および（または）前記裏端面部と前記内面部の裏側の端縁部とは、互いに平行に折り曲げられて密着していることを特徴とする。
【考案の効果】
【０００９】
第１考案によれば、表端面部と内面部の表側の端縁部、および（または）前記裏端面部と前記内面部の裏側の端縁部は互いに平行に折り曲げられて密着していることから、その折り曲げ部分の幅は細くなっている。このため、いわゆる見付面に相当する幅はほとんど目立たないので、非常にスリムなデザインのドア枠とすることができる。しかも、部材としては、１枚物の金属板のみであるので、強度は高い。また、フラットバーを取付ける従来例と比べて部品点数が少なく、溶接も必要がないので、製造コストは低いものとなる。
【考案を実施するための最良の形態】
【００１０】
つぎに、本考案の実施形態を図面に基づき説明する。
図１は本考案の一実施形態に係るドア枠の正面図である。
【００１１】
図１において、１はドアで、４は建物の壁、Ｆは床である。ドア１は壁４に形成した長方形の開口部に取付けられるが、この取付けにドア枠１０が用いられる。すなわち、壁４の開口部にドア枠１０が固定され、このドア枠１０にドア１が開閉自在に取付けられる。
本考案のドア枠１０は、いわゆる見付面１１が非常に細く、デザイン的にスリムに見える点に特徴がある。
【００１２】
図２は図１のII−II線断面図である。図５は図１のＶ−Ｖ線断面図である。
図２および図５において、ドア１は概ね幅方向に細長い箱形構造であって、その片側にヒンジ２が取付けられ、反対側に錠前３が取付けられている。このようなドア１の構造は公知のものである。
【００１３】
本実施形態のドア枠１０は、ヒンジ２側に立設されるヒンジ側枠２０と錠前３側に立設される錠前側枠３０と、それらの上端に連結される上部枠４０とからなる。なお、ヒンジ側枠２０と錠前側枠３０の下端同士の間に連結される下部枠を有するタイプもあるが、有しないタイプもある。下部枠はあったとしても、概ね平坦な構造である。
【００１４】
前記ドア枠１０が取付けられる壁４は、表壁４ａと裏壁４ｂが所定の間隔をあけて平行に設けられたものである。これらの表壁４ａや裏壁４ｂは、いずれも２枚ないし、それ以上のボード等によって構成されている。
【００１５】
本実施形態のドア枠１０を構成するヒンジ側枠２０、錠前側枠３０、上部枠４０は、いずれも１枚物の鋼板等の金属板を折り曲げ加工して形成したものである。
【００１６】
まず、ヒンジ側枠２０を図２および図３に基づき説明する。
このヒンジ側枠２０は、大きくは嵌込み部と本体部に分けられる。嵌込み部は、２枚の嵌込み片２２，２３からなり、それぞれ表壁４ａおよび裏壁４ｂの壁面に沿った平行面22a,23aと直角に曲った直角面22b,23bからなる。この嵌込み片２２，２３は、表壁４ａと裏壁４ｂの間に挿入され、壁４のボードを取付け施工するための基準面となる部材である。
【００１７】
本体部は、ドア枠１０の内面となる内面部２６と、その両端部に連なる表端面部２７および裏端面部２８とからなる。図示の内面部２６は表側の端縁26aから裏側の端縁26bに至る幅をもち、その幅方向の中間部で折り曲げた段差部26cを有している。この段差部26cは、ドア１の端部との間から隙間として見えないようにするものである。
【００１８】
前記表端面部２７は、表壁４ａの端面に当接する部分であり、嵌込み片２２の平行面22aに対し直角に曲っている。そして、この表端面部２７と内面部２６の表側端縁部26aとは、互いに平行に折り曲げられて密着している。このため、表端面部２７と表側端縁部26aを重ねた厚さ、いわゆる見付面１１の厚さは、３〜５ｍｍ位であり、非常に薄くなっている。
【００１９】
前記裏端面部２８は、裏壁４ｂの端面に当接する部分であり、嵌込み片２３の平行面23aに対し直角に曲っている。そして、この裏端面２８と裏側端縁部26bとは、互いに平行に折り曲げられて密着している。このため表端面部２８と裏端縁部26bを重ねた厚さ、いわゆる見付面１１は、３〜５ｍｍ位であり、非常に薄くなっている。このように、表裏両方の見付面が薄いのが本考案のドア枠１０の特徴である。
【００２０】
このヒンジ側枠２０の壁４への取付けは、以下のようになっている。
２枚の嵌込み片２２，２３の内表面にはアンカー片５１を固定し、表壁４ａと裏壁４ｂの間に固定されている補強金具５２に対し、鉄筋５３を介して溶接により取付けられている。この取付け方は、公知の手段であり、他の手段によって固定してもよい。
【００２１】
つぎに、錠前側枠３０を図２および図４に基づき説明する。
この錠前側枠３０も、大きくは嵌込み部と本体部に分けられる。嵌込み部は、１枚の嵌込み片３３からなり、壁４ａ，４ｂの壁面に沿った平行面33aと直角に曲った直角面33bからなる。この嵌込み片３３は、壁４のボードを取付け施工するための基準面となる部材である。
【００２２】
本体部は、ドア枠１０の内面となる内面部３６と、その両端部に連なる表端面部３７および裏端面部３８とからなる。図示の内面部３６は表側の端縁36aから裏側の端縁36bに至る幅をもつ。また、その幅方向の中間部で折り曲げた段差部36cと、幅方向の表側寄りで折り曲げた段差部36dを有している。前記段差部36cは、ドア１の端部との間から隙間として見えないようにするものである。前記段差部36dは施錠受け６を収容するスペースを確保するため設けたものである。
【００２３】
前記表端面部３７は、表壁４ａの端面に当接する部分である。この表端面部３７と内面部３６の表側端縁部36aとは、互いに平行に折り曲げられて密着している。このため、表端面部３７と表側端縁部36aを重ねた厚さ、いわゆる見付面１１の厚さは、３〜５ｍｍ位であり、非常に薄くなっている。
【００２４】
前記裏端面部３８は、裏壁４ｂの端面に当接する部分であり、嵌込み片３３の平行面33aに対し直角に曲っている。そして、この裏端面３８と裏側端縁部36bとは、互いに平行に折り曲げられて密着している。このため表端面部３８と裏端縁部36bを重ねた厚さ、いわゆる見付面１１は、３〜５ｍｍ位であり、非常に薄くなっている。このように、表裏両方の見付面１１が薄いのが本考案のドア枠１０の特徴である。
【００２５】
上記錠前側枠３０の壁４への固定は、アンカー片５１と補強金具５２と鉄筋５３を用いて行う。アンカー片５１は、前記表端面部３７の内表面と前記嵌込み片３３の直角面33bの内表面に、スポット溶接などで固定されている。それ以外の取付構造は、ヒンジ側枠２０と同様であるので、同一部材に同一符号を付して説明を省略する。
【００２６】
つぎに、上部枠４０を図５に基づき説明する。
この上部枠４０も、大きくは嵌込み部と本体部に分けられる。嵌込み部は、２枚の嵌込み片４２，４３からなり、それぞれ表壁４ａおよび裏壁４ｂの壁面に沿った平行面42a,43aと直角に曲った直角面42b,43bからなる。この嵌込み片４２，４３は、表壁４ａと裏壁４ｂの間に挿入され、壁４のボードを取付け施工するための基準面となる部材である。
【００２７】
本体部は、ドア枠の内面となる内面部４６と、その両端部に連なる表端面部４７および裏端面部４８とからなる。図示の内面部４６は表側の端縁46aから裏側の端縁46bに至る幅をもち、その幅方向の中間部で折り曲げた段差部46cを有している。この段差部46cは、ドア１の端部との間から隙間として見えないようにするものである。
【００２８】
前記表端面部４７は、表壁４ａの端面に当接する部分であり、嵌込み片４２の平行面42aに対し直角に曲っている。そして、この表端面部４７と内面部４６の表側端縁部46aとは、互いに平行に折り曲げられて密着している。このため、表端面部４７と表側端縁部46aを重ねた厚さ、いわゆる見付面１１の厚さは、３〜５ｍｍ位であり、非常に薄くなっている。
【００２９】
前記裏端面部４８は、裏壁４ｂの端面に当接する部分であり、嵌込み片４３の平行面43aに対し直角に曲っている。そして、この裏端面４８と裏側端縁部46bとは、互いに平行に折り曲げられて密着している。このため表端面部４８と裏端縁部46bを重ねた厚さ、いわゆる見付面は、３〜５ｍｍ位であり、非常に薄くなっている。このように、表裏両方の見付面１１が薄いのが本考案のドア枠１０の特徴である。
【００３０】
この上部枠４０の壁４への固定は、ヒンジ側枠２０と同様であるので、同一部材に同一符号を付して説明を省略する。
【００３１】
つぎに、本考案の他の実施形態を説明する。
前記実施形態では、表裏両面の見付面１１が薄く構成されたものであったが、これを表側の見付面１１のみ、または裏側の見付面１１のみを薄く構成したものであってもよい。
【００３２】
上記のように、本考案における各実施形態のドア枠１０によれば、３面の見付面１１は、いずれもその幅が狭く、ほとんど目立たないので、非常にスリムなデザインのドア枠１０とすることができる。しかも、部材としては、１枚物の金属板のみであるので、強度は高い。また、部品点数が少なく、溶接も必要がないので、製造コストは低いという利点がある。
【図面の簡単な説明】
【００３３】
【図１】本考案の一実施形態に係るドア枠１０の正面図である。
【図２】図１のII−II線断面図である。
【図３】図２のヒンジ側枠２０の断面図である。
【図４】図２の錠前側枠３０の断面図である。
【図５】図１のＶ−Ｖ線断面図である。
【図６】従来例１のドア枠の横断面図である。
【図７】従来例２のドア枠の横断面図である。
【符号の説明】
【００３４】
１  ドア
４  壁
１０  ドア枠
１１  見付面
２０  ヒンジ側枠
２２，２３  嵌込み片
２６  内面部
２７  表端面部
２８  裏端面部
３０  錠前側枠
４０  上部枠
【図１】
0003144289.tif 000003
【図２】
0003144289.tif 000004
【図３】
0003144289.tif 000005
【図４】
0003144289.tif 000006
【図５】
0003144289.tif 000007
【図６】
0003144289.tif 000008
【図７】
0003144289.tif 000009